(57)【要約】【課題】本発明は、撒き餌カゴに撒き餌を詰める際に手を汚しにくく、釣行後の洗浄が容易であり、さらに、釣り場で迅速に撒き餌を詰めることが可能な撒き餌カゴ用撒き餌詰め補助具の提供を目的とする。【解決手段】本発明の撒き餌カゴ用撒き餌詰め補助具１は、上方へ向かうにつれて拡幅する傾斜面３１を持つ傾斜案内部３と、傾斜案内部３の下方に連接された撒き餌カゴ保持部２とを備え、撒き餌カゴ保持部２はその上部に撒き餌カゴと流体状の撒き餌が導入可能な導入部２１を有し、撒き餌カゴ開口部が上向きの状態で、傾斜案内部３の下縁よりも下方に位置するように保持するとともに、撒き餌カゴに流入された流体状の撒き餌に含まれる余分な水分と撒き餌カゴには入らなかった余分な撒き餌を流下排出する排出部２２を持っている。【選択図】図２
2020115794.tif 000002
【特許請求の範囲】
【請求項１】
上方へ向かうにつれて拡幅する傾斜面を持つ傾斜案内部と、
前記傾斜案内部の下方に連接された撒き餌カゴ保持部とを備えた撒き餌カゴ用撒き餌詰め補助具であって、
前記撒き餌カゴ保持部はその上部に撒き餌カゴと流体状の撒き餌が導入可能な導入部を有し、
撒き餌カゴ開口部が上向きの状態で、前記傾斜案内部の下縁よりも下方に位置するように保持するとともに、前記撒き餌カゴに流入された流体状の撒き餌に含まれる余分な水分と撒き餌カゴには入らなかった余分な撒き餌を流下排出する排出部を持ち、
前記保持部に前記撒き餌カゴが保持された状態で、前記傾斜案内部の上方から流体状の撒き餌が流入されると、前記傾斜案内部により前記撒き餌カゴ開口部に集中して流入され、余分な水分は前記撒き餌カゴにてろ過された後、前記排出部から流下排出されることで、前記撒き餌カゴに密に撒き餌をつめることができる、撒き餌カゴ用撒き餌詰め補助具。
【請求項２】
前記傾斜案内部の前記傾斜面が、逆円錐台状または略扇状である、請求項１に記載の撒き餌カゴ用撒き餌詰め補助具。
【請求項３】
前記撒き餌カゴ保持部が略筒状に形成され、
前記導入部は、前記撒き餌カゴ保持部の上端において上方に向かって開口した開口部であり、
前記排出部は、前記撒き餌カゴ保持部の下側の端面において開口した開口部である、請求項１または２に記載の撒き餌カゴ用撒き餌詰め補助具。
【請求項４】
前記撒き餌カゴ保持部が略筒状に形成され、
前記導入部は、前記撒き餌カゴ保持部の上端において上方に向かって開口した開口部であり、
前記排出部は、前記撒き餌カゴ保持部の下側の側面において開口した開口部である、請求項１〜３のいずれか１項に記載の撒き餌カゴ用撒き餌詰め補助具。
【請求項５】
前記撒き餌カゴ保持部が、前記撒き餌カゴ保持部の長手方向に伸縮可能な伸縮部を有している、請求項１〜４のいずれか１項に記載の撒き餌カゴ用撒き餌詰め補助具。
【請求項６】
前記撒き餌カゴ保持部は、使用状態において、水平方向に長く、上方が開放した箱状に形成され、
前記撒き餌カゴ保持部は、前記撒き餌カゴ保持部の長手方向の両端に設けられた一対の端壁と、前記一対の端壁をつなぐ側壁とを有し、
前記側壁に前記排出部が形成され、
前記一対の端壁の少なくとも一方に、前記撒き餌カゴ保持部に水平に保持される撒き餌カゴに接続された釣り糸および／または釣り用金具を挿通可能なスリットを有している、
請求項１に記載の撒き餌カゴ用撒き餌詰め補助具。
【請求項７】
前記撒き餌カゴ用撒き餌詰め補助具がさらに、
前記撒き餌が収容される収容容器に係止して、前記撒き餌カゴ用撒き餌詰め補助具を収容容器の所定の位置で保持させることが可能な係止部を有している、請求項１〜６のいずれか１項に記載の撒き餌カゴ用撒き餌詰め補助具。
【請求項８】
請求項１〜６のいずれか１項に記載の撒き餌カゴ用撒き餌詰め補助具が一体化された、撒き餌を収容する、収容容器。
【発明の詳細な説明】
【技術分野】
【０００１】
本発明は、サビキ釣りなどの撒き餌カゴを使用する釣りにおいて、撒き餌カゴに撒き餌を詰めるための補助具および収容容器に関するものである。
【背景技術】
【０００２】
サビキ釣りやカゴ釣りは、仕掛けの途中または下端部分に取り付けた撒き餌カゴにアミエビやオキアミ等の撒き餌を詰めて、この撒き餌を水中で徐々に散らせながら魚を釣る効率的な釣りであり、特に前者のサビキ釣りは対象魚が手軽なアジ、サバ、イワシ等であること、また釣り針に餌を付けなくてよいことなどから、非常に多くの釣り人に親しまれている。
【０００３】
しかし、上記撒き餌カゴを使用する釣りにおいては、上述のごとく釣り針に餌を付けなくてよい場合がある反面、仕掛けの投入毎に撒き餌カゴに新たに撒き餌を詰めなければならず、従来はそのためにバケツ等に解凍した撒き餌を入れ、しゃもじ状のもので、一々これを掬って上記撒き餌カゴに詰め込まなければならなかった。
【０００４】
撒き餌の詰め込みに際して上記しゃもじ状のものをあてがう方法では、カゴに充填するべき撒き餌量を詰め込むには作業しづらいことが多く、作業時間がかかるため、時合いが限られる回遊魚等を釣りあげる機会を逃しているという不都合がある。また、撒き餌を撒き餌カゴに入れる際に、撒き餌カゴを手で持ち続けて安定させる必要があるので、手が撒き餌によって汚れてしまう。
【０００５】
これらの問題を解決するために、例えば、特許文献１には、撒き餌詰め器を使用する方法が開示されている。この撒き餌詰め器は、撒き餌カゴが遊嵌する有底の縦穴部と、縦穴部の周囲に形成され縦穴部の開口部に向かってすり鉢状に下降傾斜する斜面部と、斜面部から上方および下方に延設された周壁とを有している。撒き餌カゴが入れられる縦穴部の周面からは、斜面部に貫通した３本のスリット状の流路が形成されている。
【０００６】
この特許文献１の撒き餌詰め器では、まず撒き餌と適量の海水などを撒き餌詰め器の中へ入れ、水と混ざった撒き餌の中へ撒き餌カゴを上方から落とすようにする。縦穴部に撒き餌カゴが入れられると、縦穴部内の液状の撒き餌は撒き餌カゴに押し出されて、スリット状の流路へと移動して、液体と共に撒き餌が上方に移動した後、撒き餌カゴに入るように構成されている。
【０００７】
特許文献２には、特許文献１と同様の餌詰め用内装容器が開示されている。この特許文献２の餌詰め用内装容器は、上面開口容器の底部内側に撒き餌カゴが上下方向に出入り可能な筒形の凹部を付設し、この筒形の凹部はその周囲の容器底部内側面に連続する傾斜面を有している。そして、筒形の凹部は撒き餌カゴを出入りさせた際に撒き餌カゴの周囲に上下方向の水流が発生可能な隙間が形成される大きさに形成されている。
【０００８】
一方、特許文献３には、撒き餌を収納する密閉型の収容容器と、収容容器に空気を送り込むポンプ装置を備え、ポンプ装置のポンプ作用に伴って海水と共に撒き餌を吐出する吐出管を有した撒き餌カゴへの撒き餌充填装置が開示されている。この撒き餌カゴ充填装置では、吐出管の下方に撒き餌カゴを保持して撒き餌カゴに撒き餌を充填するように構成されている。
【先行技術文献】
【特許文献】
【０００９】
【特許文献１】実開平８−２０２号公報
【特許文献２】特許第２７７７０９９号公報
【特許文献３】特開平７−９９８７０号公報
【発明の概要】
【発明が解決しようとする課題】
【００１０】
特許文献１および２に開示された容器は、手を汚すことを防ぐことはできるが、撒き餌をカゴ詰めするためには、撒き餌カゴを撒き餌の液中に浸した後、水中に浮遊する撒き餌がカゴ内に降下沈殿するのを待たなければならない。そのため、時間を要するという問題があった。また、氷塊状態で販売されている撒き餌を使用する場合、容器内に氷塊状態の撒き餌があるうちはカゴの上下運動の邪魔になるという問題もある。
【００１１】
また、特許文献３に開示されたポンプを用いる装置では、構造が複雑であるうえに、重量やサイズの点で釣り人が携行するうえで難点がある。また、釣行後、かなりの手間をかけて装置全体を洗浄しておかないと、器具に撒き餌の臭いが残りやすい。また、撒き餌カゴの保持位置上部に吐出管が位置するため、撒き餌カゴを保持位置に導く際に吐出管が邪魔になるという問題がある。
【００１２】
そこで、本発明はかかる問題点に鑑みて、撒き餌カゴに撒き餌を詰める際に手を汚しにくく、釣り場で迅速に撒き餌を詰めることが可能であり、さらに釣行後の洗浄が容易な撒き餌カゴ用撒き餌詰め補助具および収容容器の提供を目的とする。
【課題を解決するための手段】
【００１３】
本発明の撒き餌カゴ用撒き餌詰め補助具は、上方へ向かうにつれて拡幅する傾斜面を持つ傾斜案内部と、前記傾斜案内部の下方に連接された撒き餌カゴ保持部とを備えた撒き餌カゴ用撒き餌詰め補助具であって、前記撒き餌カゴ保持部はその上部に撒き餌カゴと流体状の撒き餌が導入可能な導入部を有し、撒き餌カゴ開口部が上向きの状態で、前記傾斜案内部の下縁よりも下方に位置するように保持するとともに、前記撒き餌カゴに流入された流体状の撒き餌に含まれる余分な水分と撒き餌カゴには入らなかった余分な撒き餌を流下排出する排出部を持ち、前記保持部に前記撒き餌カゴが保持された状態で、前記傾斜案内部の上方から流体状の撒き餌が流入されると、前記傾斜案内部により前記撒き餌カゴ開口部に集中して流入され、余分な水分は前記撒き餌カゴにてろ過された後、前記排出部から流下排出されることで、前記撒き餌カゴに密に撒き餌をつめることができる。
【００１４】
また、前記傾斜案内部の前記傾斜面が、逆円錐台状または略扇状であることが好ましい。
【００１５】
また、前記撒き餌カゴ保持部が略筒状に形成され、前記導入部は、前記撒き餌カゴ保持部の上端において上方に向かって開口した開口部であり、前記排出部は、前記撒き餌カゴ保持部の下側の端面において開口した開口部であることが好ましい。
【００１６】
また、前記撒き餌カゴ保持部が略筒状に形成され、前記導入部は、前記撒き餌カゴ保持部の上端において上方に向かって開口した開口部であり、前記排出部は、前記撒き餌カゴ保持部の下側の側面において開口した開口部であることが好ましい。
【００１７】
また、前記撒き餌カゴ保持部が、前記撒き餌カゴ保持部の長手方向に伸縮可能な伸縮部を有していることが好ましい。
【００１８】
また、前記撒き餌カゴ保持部は、使用状態において、水平方向に長く、上方が開放した箱状に形成され、前記撒き餌カゴ保持部は、前記撒き餌カゴ保持部の長手方向の両端に設けられた一対の端壁と、前記一対の端壁をつなぐ側壁とを有し、前記側壁に前記排出部が形成され、前記一対の端壁の少なくとも一方に、前記撒き餌カゴ保持部に水平に保持される撒き餌カゴに接続された釣り糸を挿通可能なスリットを有していることが好ましい。
【００１９】
また、前記撒き餌カゴ用撒き餌詰め補助具がさらに、前記撒き餌が収容される収容容器に係止して、前記撒き餌カゴ用撒き餌詰め補助具を収容容器の所定の位置で保持させることが可能な係止部を有していることが好ましい。
【００２０】
また、本発明の収容容器は、撒き餌を収容することができ、上記撒き餌カゴ用撒き餌詰め補助具が一体化されている。
【発明の効果】
【００２１】
本発明の撒き餌カゴ用撒き餌詰め補助具および収容容器によれば、撒き餌カゴに撒き餌を詰める際に手を汚しにくく、釣り場で迅速に撒き餌を詰めることが可能であるため時合いの限られる回遊魚等を釣り上げる機会が増えるとともに、釣行後の洗浄が容易であり器具に臭いが残りにくい。
【図面の簡単な説明】
【００２２】
【図１】本発明の一実施形態の撒き餌カゴ用撒き餌詰め補助具がバケツに取り付けられた状態を示す概略図である。
【図２】本発明の一実施形態の撒き餌カゴ用撒き餌詰め補助具を示す斜視図である。
【図３】図２の撒き餌カゴ用撒き餌詰め補助具に撒き餌カゴが取り付けられた状態を示す概略断面図である。
【図４】本発明の撒き餌カゴ用撒き餌詰め補助具の変形例を示す斜視図である。
【図５】本発明の第２実施形態の撒き餌カゴ用撒き餌詰め補助具を示す斜視図である。
【図６】（Ａ）は、本発明の第３実施形態の撒き餌カゴ用撒き餌詰め補助具の使用状態を示す図であり、（Ｂ）は、（Ａ）の状態から収縮した状態を示す図である。
【図７】撒き餌カゴ用撒き餌詰め補助具が一体化した本発明の収容容器の一例を示す図である。
【発明を実施するための形態】
【００２３】
以下、添付図面を参照し、本発明の撒き餌カゴ用撒き餌詰め補助具および収容容器を詳細に説明する。なお、以下の実施形態はあくまで一例であり、本発明の撒き餌カゴ用撒き餌詰め補助具および収容容器は、以下の説明および添付図面によって限定されるものではない。
【００２４】
＜第１実施形態＞
図１〜図３に示されるように、本実施形態の撒き餌カゴ用撒き餌詰め補助具（以下、単に補助具という）１は、上方へ向かうにつれて拡幅する傾斜面３１（図２および図３参照）を持つ傾斜案内部３と傾斜案内部３の下方に連接された撒き餌カゴ保持部２（以下、単に保持部２という）とを備えている。保持部２は、撒き餌カゴＣ（図３参照）を保持し、傾斜案内部３は、保持部２に保持された撒き餌カゴＣへと、流体状の撒き餌ＧＢを集中させつつ案内することが可能である。また、保持部２は、図３に示されるように、その上部に撒き餌カゴＣと流体状の撒き餌ＧＢが導入可能な導入部２１を有している。導入部２１は、撒き餌カゴＣが保持部２に保持されたときに、撒き餌カゴＣの撒き餌カゴ開口部Ｃａと同方向に開口している。また、保持部２は、撒き餌カゴ開口部Ｃａが上向きの状態で、傾斜案内部３の下縁よりも下方に位置するように保持するとともに、撒き餌カゴＣに流入された流体状の撒き餌ＧＢに含まれる余分な水分と撒き餌カゴＣには入らなかった余分な撒き餌ＧＢ１を流下排出する排出部２２を持っている。なお、図１においてオキアミなど、撒き餌カゴＣに充填されるべき餌自体を参照符号ＧＢ１として説明し、水と混合されて流体状となった状態のものを参照符号ＧＢとして説明する。
【００２５】
本実施形態の補助具１は、詳細は後述するが、撒き餌ＧＢ１を充填する必要のある撒き餌カゴＣを図３に示されるように保持部２に入れて、柄杓などによって流体状の撒き餌ＧＢを上方から補助具１に流し入れることによって、撒き餌ＧＢ１を撒き餌カゴＣに容易に充填することができるものである。なお、本明細書において、「上」、「下」という場合、補助具１の通常の使用状態（すなわち、撒き餌カゴＣの撒き餌カゴ開口部Ｃａが上方に向かって開口しているとき）における、上下をいうものである。たとえば、本実施形態では、補助具１は、保持部２の長手方向が略鉛直方向となるように配置され、保持部２の上側が、流体状の撒き餌ＧＢが供給される側となり、保持部２の下側が、流体状の撒き餌ＧＢおよび保持された撒き餌カゴＣによって水切りされた余分な水分が重力によって排出される側となる。
【００２６】
本実施形態では、補助具１は、図１に示されるように、バケツなどの収容容器Ｂに取り付けて使用される。たとえば、釣り具屋などで購入した冷凍された撒き餌と水とが収容容器Ｂ内に収容され、水と混ざりあって解凍され流体状となった撒き餌ＧＢを、撒き餌カゴＣに充填する際に補助具１が用いられる。なお、本明細書において「撒き餌」という場合、釣り具屋などにおいて市販されている、ブロック状の撒き餌やチューブ状容器に収容された撒き餌など、各種の撒き餌をいい、特にその種類は限定されない。また、本明細書における「撒き餌」には、市販されている撒き餌単体だけでなく、撒き餌と水とが混ざった状態のものも含まれる。
【００２７】
撒き餌カゴＣは、たとえばサビキ釣りなどに用いられる、各種のカゴを用いることができる。撒き餌カゴＣは、図３に示されるように、略筒状に形成され、撒き餌ＧＢ１を充填するための撒き餌カゴ開口部Ｃａと、撒き餌ＧＢ１が充填される筒部Ｃｂとを有している。撒き餌カゴＣは釣り糸Ｔを介して図示しない釣竿に接続される。本実施形態では、撒き餌カゴＣの下端に錘Ｃｃが設けられている。なお、補助具１に用いられる撒き餌カゴＣの形状や構造は特に限定されない。たとえば、撒き餌カゴＣは、錘が付いていないものであってもよいし、蓋付きのものであってもよい。また、撒き餌カゴＣは、様々な大きさのものを用いることができる。
【００２８】
傾斜案内部３は、補助具１の上方から供給された流体状の撒き餌ＧＢを傾斜面３１によって撒き餌カゴＣの撒き餌カゴ開口部Ｃａへと案内する部位である。傾斜案内部３の傾斜面３１は、保持部２の上側開口縁としての導入部２１に連接されており、傾斜面３１に載せられた流体状の撒き餌ＧＢが導入部２１へ向かって集まりつつ流下するように傾斜している。傾斜案内部３の傾斜面３１の角度は、撒き餌ＧＢが保持部２の導入部２１に向かって流れるように傾斜していれば特にその角度は限定されない。
【００２９】
傾斜案内部３は、本実施形態では、図２に示されるように、上方へ向かうにつれて拡幅している。具体的には、図２に示されるように、筒状の保持部２の上側において周方向全体に設けられた漏斗状に形成され、上方へ向かうにつれて拡径した逆円錐台形状を呈している。この場合、撒き餌カゴＣの下端が傾斜案内部３の上端の開口部を通ると、撒き餌カゴＣが傾斜面３１に沿って保持部２に向かって案内される。したがって、撒き餌カゴＣを保持部２に入れやすい。さらに、傾斜案内部３が保持部２の上側において周方向全体に設けられている場合、流体状の撒き餌ＧＢが撒き餌カゴＣに入らずに補助具１の外部へ漏れ出てしまうことが抑制される。なお、傾斜案内部３は、保持部２の上側において、保持部２の周方向の少なくとも一部に設けられていればよい。たとえば、図４に示される変形例のように、傾斜案内部３は、保持部２の周方向に部分的に設けられていてもよい。図４に示す変形例では、傾斜案内部３は、上方へ向かうにつれて水平方向に拡幅した略扇状に形成されている。なお、傾斜案内部３は、流体状の撒き餌ＧＢを案内することができれば、図２や図４に示される形状に限定されるものではない。
【００３０】
保持部２は、撒き餌カゴＣを保持する部位である。保持部２は、撒き餌カゴＣを保持することができれば、その形状は特に限定されない。本実施形態では、図１〜図３に示されるように、保持部２は略筒状に形成され、導入部２１が保持部２の上端において上方に向かって開口した開口部として形成されている。
【００３１】
導入部２１は、保持部２へと撒き餌カゴＣを導入でき、かつ、流体状の撒き餌ＧＢを撒き餌カゴＣへと導入できるように開口している。本実施形態では、図２および図３に示されるように円形の開口部として示されているが、導入部２１は、撒き餌カゴＣおよび流体状の撒き餌ＧＢを導入することができれば、その形状は特に限定されない。たとえば、図４の変形例に示されるように、導入部２１は略半円状の開口部など、円形以外の他の形状であってもよい。
【００３２】
保持部２の形状は、撒き餌カゴＣを保持することができれば特に限定されない。本実施形態では、保持部２は、略筒状に形成され、撒き餌カゴＣの外形に対応した形状とされている。この場合、保持部２が撒き餌カゴＣの外周を取り囲むので、撒き餌カゴＣを安定して保持することができる。なお、保持部２は、略角筒状であってもよいし、図４の変形例のように、円筒を長手方向に半分に切断した形状の略半円筒状であってもよい。保持部２は、使用される撒き餌カゴＣとの間に形成されるクリアランスが小さいことが好ましいが、保持部２の大きさは特に限定されない。また、保持部２は、本実施形態では、略鉛直状に配置されているが、撒き餌カゴ開口部Ｃａを上向きに保持できるように鉛直線に対して傾斜して配置されていてもよい。
【００３３】
排出部２２は、補助具１の上方から保持部２内に保持された撒き餌カゴＣに供給された流体状の撒き餌ＧＢに含まれた水分と撒き餌カゴＣに入らなかった余分な撒き餌を排出する部位である。排出部２２は、水分と撒き餌カゴＣに入らなかった余分な撒き餌を排出できるように開口した開口部として形成されている。
【００３４】
本実施形態では、保持部２は、図３に示されるように、保持部２の下側の端面において開口した排出部２２ａを有している。排出部２２ａが保持部２の下側の端面に形成されていることによって、保持部２と撒き餌カゴＣとの間を通って下側に移動した水分および余分な撒き餌が容易に流下排出される。また、保持部２の下側の端面において開口した排出部２２ａを有している場合、補助具１の使用後、洗浄する際に、保持部２の軸方向の両端が開放しているので、洗浄時に水の流れが阻害されない。したがって、補助具１の洗浄時に、撒き餌に含まれるエビなどが保持部２内に留まることが抑制され、補助具１の洗浄が非常に容易となる。なお、保持部２の下側の端面において開口した排出部２２ａを形成する場合、保持部２に入れられた撒き餌カゴＣが落下しないように、補助具１は、撒き餌カゴＣの下端と当接して撒き餌カゴＣの落下を防止する当接部２３を有している。当接部２３は、撒き餌カゴＣの落下を防止することができれば、その構造は特に限定されない。当接部２３は、本実施形態のように、１本の棒状に形成されていてもよいし、複数の棒状、ネット状など、他の形状であってもよい。
【００３５】
また、本実施形態では、保持部２は、保持部２の下側の側面において開口した排出部２２ｂをさらに有している。排出部２２ｂを設ける場合、図１〜図３に示されるように、保持部２の側面において複数の開口として形成することが好ましいが、排出部２２ｂの数は特に限定されない。また、本実施形態では排出部２２ｂは、所定の径を有する円形の貫通孔として示されているが、排出部２２ｂの形状や大きさは、特に限定されない。たとえば、排出部２２ｂは、図４の変形例に示されるように、収容される撒き餌カゴＣの側面の一部が露出するように切り欠かれた切欠部としてもよい。
【００３６】
また、排出部２２ｂは、少なくとも保持部２の側面の下側に設けられていればよく、たとえば、保持部２全体をメッシュ状に形成することなどによって、排出部２２ｂが保持部２の側面の上側にも設けられていてもよい。保持部２の側面において開口した排出部２２ｂが設けられている場合、たとえば、撒き餌カゴＣの下端が錘によって閉鎖されている場合であっても、撒き餌カゴＣの側面から排出された水を容易に保持部２の外部へ排出することができる。したがって、撒き餌カゴＣへの餌詰めを迅速にすることができる。
【００３７】
また、本実施形態の補助具１はさらに、図１〜図３に示されるように、流体状の撒き餌ＧＢが収容される収容容器Ｂに係止して、補助具１を収容容器Ｂの所定の位置で保持させることが可能な係止部４を有している。係止部４が設けられていることにより、図１および図３に示されるように、補助具１を収容容器Ｂの縁部Ｂａに係止させ、保持部２および排出部２２を収容容器Ｂの内部に位置付けて支持することができる。これにより、補助具１は収容容器Ｂに収容された流体状の撒き餌ＧＢの液面の上方に位置付けられ、撒き餌ＧＢ１を撒き餌カゴＣに充填する際に、余分な撒き餌や水分は、収容容器Ｂ内で排出部２２から排出される。したがって、撒き餌カゴＣに撒き餌ＧＢ１を充填する際にオキアミなどの撒き餌が無駄にならず、釣り場を汚すことが抑制される。
【００３８】
係止部４の形状や構造は、補助具１を収容容器Ｂに係止させることができれば、特に限定されない。本実施形態では、係止部４は、図１〜図３に示されるように、保持部２の上端から水平に延びた後、下方に向けて延びる略Ｌ字状に形成されている。なお、係止部４は、本実施形態のように、保持部２から延びていてもよいし、図４の変形例のように、傾斜案内部３から延びていてもよい。また、係止部４は、保持部２または傾斜案内部３に対して一体的に設けられていてもよいし、着脱可能に設けられていてもよい。
【００３９】
つぎに、本実施形態の補助具１の使用方法について説明する。
【００４０】
まず、釣り場において、市販されている撒き餌と適量な海水などの水をバケツなどの収容容器（以下、単にバケツという）Ｂに入れ柄杓などでかき混ぜて、水と撒き餌を混合し撒き餌カゴＣに流しいれやすい流体状とする。このとき氷塊状態の撒き餌を使用する場合でも、その一部が水に溶け出ればよい。
【００４１】
釣竿の釣り糸Ｔにサビキ釣り用の仕掛け（図示せず）や撒き餌カゴＣの取り付けが完了すると、バケツＢに補助具１を取り付けて、撒き餌カゴＣに撒き餌ＧＢ１を充填する。使用者は、釣り糸Ｔを持って、保持部２へと撒き餌カゴＣを移動させる。本実施形態では、傾斜案内部３の上方の開口から撒き餌カゴＣを入れる。このとき、傾斜案内部３の傾斜面３１に沿って、撒き餌カゴＣの下端が摺動しながら、保持部２の導入部２１へと案内され、撒き餌カゴＣを容易に保持部２内へと移動させることができる。
【００４２】
撒き餌カゴＣが図３に示されるように、保持部２に保持されると、柄杓などによって流体状の撒き餌ＧＢを掬い、傾斜案内部３の上方から流体状の撒き餌ＧＢを撒き餌カゴＣに向かって流し込む。流体状の撒き餌ＧＢは、直接撒き餌カゴＣ内に入らないものは、傾斜案内部３の傾斜面３１に沿って流れる。これにより、導入部２１を介して、保持部２の上方から保持部２に保持された撒き餌カゴＣの撒き餌カゴ開口部Ｃａへ向けて流体状の撒き餌ＧＢが流入される。さらに、撒き餌カゴＣに流入した流体状の撒き餌ＧＢ中の水分は、撒き餌カゴＣで水切りされた後、重力によって排出部２２から排出される。この操作により、撒き餌ＧＢ１が撒き餌カゴＣに密に充填される。一度の操作で充分な撒き餌が充填されなければ、この操作を複数回繰り返すことにより、充填が完了する。撒き餌ＧＢ１の充填が完了すると、釣り糸Ｔを持って撒き餌カゴＣを保持部２から引き上げ、釣りを行うことができる。餌がなくなると、補助具１を用いて、撒き餌カゴＣへ再度撒き餌ＧＢ１の充填が行われる。
【００４３】
上述したように、本実施形態では、撒き餌カゴＣに撒き餌ＧＢ１を充填する際に、撒き餌カゴＣが保持部２によって保持されている。そのため、撒き餌ＧＢ１の充填が容易であり、かつ、手を汚しにくい。また、本実施形態の補助具１は、構造が非常にシンプルで、部品点数が非常に少なく、モータや電源など重い部材も必要がない。そのため、補助具１を釣り場に手軽に携行することができる。
【００４４】
また、撒き餌ＧＢ１を撒き餌カゴＣに充填する際には、流体状の撒き餌ＧＢを補助具１に保持された撒き餌カゴＣの上方から、撒き餌カゴＣの撒き餌カゴ開口部Ｃａより面積の大きい傾斜案内部３へと流し込むだけで、流体状の撒き餌ＧＢは傾斜面３１を伝って、撒き餌カゴＣ内に流れ込む。そのため、手が汚れにくいだけでなく、揺れる船上であっても、また子供のように、柄杓の先端などを撒き餌カゴＣの餌詰め用開口部Ｃａへ、うまくあてがい続けることができない者であっても、容易に撒き餌ＧＢ１を撒き餌カゴＣに充填させることができる。また、本実施形態によれば、撒き餌カゴＣを上下に移動させるなどの煩雑な動作は不要である。なお、傾斜案内部３の大きさは、導入部２１を介して撒き餌カゴ開口部Ｃａへと容易に流体状の撒き餌ＧＢを流し込むことができれば特に限定されないが、傾斜面３１の面積は、一般的な撒き餌カゴＣの撒き餌カゴ開口部Ｃａの開口面積が７〜１２ｃｍ2であるので、その４〜６倍である、２８〜７２ｃｍ2とすることが好ましい。
【００４５】
また、本実施形態では、補助具１をバケツＢの縁部Ｂａに係止させ排出部２２をバケツＢ内に配置することができるので、重力で落ちた余分な水分や撒き餌ＧＢ１は、バケツＢ内に戻り、釣り場が汚れない。
【００４６】
また、本実施形態の補助具１では、上述した先行技術文献の発明とは異なり、氷塊状態で釣り場に持ち込まれた撒き餌ＧＢ１が完全に解凍されていない場合であっても、一部解凍されて流体状となった撒き餌ＧＢの部分を掬って撒き餌カゴＣへと速やかに充填することができる。
【００４７】
また、本実施形態の補助具１は、釣りが終了した際の洗浄が容易である。補助具１は、保持部２の上側と下側との両方に開口（導入部２１、排出部２２）を有しているため、水道水で洗い流すと、導入部２１から排出部２２へと（または排出部２２から導入部２１へと）水が抜けて排出される。したがって、補助具１に付着した撒き餌ＧＢを容易に洗い流すことができる。水道の設備がない釣り場も多いが、そのような場合であっても、海水などに浸けることによって、補助具１を容易に洗浄することができる。
【００４８】
＜第２実施形態＞
つぎに、第２実施形態の補助具１について、図５を用いて説明する。なお、以下の説明において、上述した実施形態と共通する事項についての説明は省略し、相違点を中心に説明する。なお、本実施形態の構成と、第１実施形態で説明した内容とを組み合わせて用いることができる。
【００４９】
本実施形態の補助具１は、第１実施形態の縦長の撒き餌カゴＣと異なり、たとえば、ヒンジにより開閉される蓋を有する横型の撒き餌カゴ（図示せず）に撒き餌ＧＢ１を充填させる際に用いられる。
【００５０】
本実施形態の補助具１は、図５に示されるように、保持部２と、傾斜案内部３と、係止部４とを有している。保持部２は、図５に示されるように、使用状態において、水平方向に長く、上方が開放した箱状に形成されている。また、保持部２は、保持部２の長手方向の両端に設けられた一対の端壁２ａ、２ｂと、一対の端壁２ａ、２ｂをつなぐ側壁２ｃとを有している。一対の端壁２ａ、２ｂは互いに平行に設けられ、側壁２ｃは撒き餌カゴの形状に応じて湾曲した形状を有している。
【００５１】
側壁２ｃには、複数の排出部２２が形成されている。これにより、横型の撒き餌カゴを用いた場合であっても、上述した第１実施形態と同様の効果を得ることができる。なお、排出部２２は端壁２ａ、２ｂにも設けられていてもよい。
【００５２】
また、本実施形態の補助具１は、一対の端壁２ａ、２ｂの少なくとも一方に、保持部２に水平に保持される撒き餌カゴに接続された釣り糸や釣り用金具などを挿通可能なスリットＳＬを有している。スリットＳＬに釣り糸Ｔや釣り用金具などを通すことができるので、横型の撒き餌カゴを容易に保持部２に水平状態で保持することができる。なお、本実施形態では、スリットＳＬは両方の端壁２ａ、２ｂに設けられている。
【００５３】
＜第３実施形態＞
つぎに、第３実施形態の補助具１について、図６（Ａ）および（Ｂ）を用いて説明する。なお、以下の説明において、上述した実施形態と共通する事項についての説明は省略し、相違点を中心に説明する。なお、本実施形態の構成と、第１実施形態または第２実施形態で説明した内容とを組み合わせて用いることができる。
【００５４】
本実施形態では、保持部２が、保持部２の長手方向に伸縮可能な伸縮部２４を有している。伸縮部２４は、保持部２の長手方向に伸縮可能な構造であれば特に限定されないが、たとえば、図６（Ａ）および（Ｂ）に示されるように、蛇腹状の伸縮部２４とすることができる。
【００５５】
本実施形態では、第１実施形態（または第２実施形態）で説明した効果を奏するとともに、補助具１の持ち運び時に収縮して（図６（Ｂ）参照）、コンパクトに持ち運びをすることができる。また、バケツＢの深さ、バケツＢ内での撒き餌ＧＢの液面の高さ、または、撒き餌カゴＣの長さに応じて補助具１の長さを調節することができる。
【００５６】
＜第４実施形態＞
つぎに、第４実施形態の収容容器Ｂについて、図７を用いて説明する。なお、以下の説明において、上述した実施形態と共通する事項（たとえば、保持部２、傾斜案内部３など）についての説明は省略し、相違点を中心に説明する。なお、本実施形態の構成と、第１実施形態、第２実施形態、または第３実施形態で説明した内容とを組み合わせて用いることができる。
【００５７】
本実施形態の収容容器Ｂは、収容容器に補助具１が一体化した構成である。本実施形態の収容容器Ｂは、収容容器Ｂの縁部Ｂａから傾斜案内部３が延びており、補助具１が一体化している。この構造の場合、上述した実施形態の効果に加えて、補助具１を収容容器Ｂにその都度取り付ける必要がない。また、補助具１が収容容器Ｂに一体化して固定されているので、保持部２がさらに安定して、撒き餌ＧＢを充填することができる。
【符号の説明】
【００５８】
１  補助具
２  保持部
２ａ、２ｂ  端壁
２ｃ  側壁
２１  導入部
２２、２２ａ、２２ｂ  排出部
２３  当接部
２４  伸縮部
３  傾斜案内部
３１  傾斜面
４  係止部
Ｂ  収容容器（バケツ）
Ｂａ  収容容器の縁部
Ｃ  撒き餌カゴ
Ｃａ  撒き餌カゴ開口部
Ｃｂ  筒部
Ｃｃ  錘
ＧＢ  （流体状の）撒き餌
ＧＢ１  撒き餌
ＳＬ  スリット
Ｔ  釣り糸
【図１】
2020115794.tif 000003
【図２】
2020115794.tif 000004
【図３】
2020115794.tif 000005
【図４】
2020115794.tif 000006
【図５】
2020115794.tif 000007
【図６】
2020115794.tif 000008
【図７】
2020115794.tif 000009